(57)【特許請求の範囲】
【請求項１】
待ち受け時にＬＣＤ表示を非表示にした後にＬＥＤ表示を一定間隔でＯＮにしＣＰＵを省電力状態にする携帯端末機の省電力状態表示制御装置において、
低周波クロックを発生する低周波発振器と、
前記ＣＰＵが省電力状態になったと判断した場合、前記低周波クロックの第１のカウントを開始し、前記低周波クロックの第１のカウントにより、前記ＬＥＤ表示を周期的にＯＮにするタイミングを制御するＯＮタイミング制御部と、
前記ＯＮタイミング制御部が前記ＬＥＤ表示をＯＮにするタイミングで前記低周波クロックの第２のカウントを開始し、前記低周波クロックの第２のカウントにより、ＯＮになった前記ＬＥＤ表示を一定時間維持した後にＯＦＦにし前記ＬＥＤ表示のＯＮの期間にも前記ＣＰＵの省電力状態を維持するＯＮ時間制御部とを備えることを特徴とする携帯端末機の省電力状態表示制御装置。
【請求項２】
前記ＣＰＵは、省電力状態になった後一定時間内に前記携帯端末機の操作が無い場合に前記ＯＮタイミング制御部による前記第１のカウントを開始させ、前記第１のカウントの開始後に前記携帯端末機の操作があった場合に前記ＯＮタイミング制御部による前記第１のカウントを停止させることを特徴とする、請求項１に記載の携帯端末機の省電力状態表示制御装置。
【請求項３】
ＬＣＤ表示からの表示フレームレートの信号入力が一定時間内に無い場合に前記ＯＮタイミング制御部による前記第１のカウントを開始し、前記第１のカウントの開始後に前記ＬＣＤ表示からの表示フレームレートの信号入力があった場合に前記ＯＮタイミング制御部による前記第１のカウントを停止することを特徴とする、請求項１に記載の携帯端末機の省電力状態表示制御装置。
【請求項４】
前記ＬＥＤ表示として、着信時に点灯する着信ＬＥＤ表示を用いることを特徴とする、請求項１に記載の携帯端末機の省電力状態表示制御装置。
【請求項５】
前記低周波発振器として、間欠受信時に前記ＣＰＵをスタンバイ、スタンバイ解除するための低周波発振器を用いることを特徴とする、請求項１に記載の携帯端末機の省電力状態表示制御装置。
【請求項６】
待ち受け時にＬＣＤ表示を非表示にした後にＬＥＤ表示を一定間隔でＯＮにしＣＰＵを省電力状態にする携帯端末機の省電力状態表示制御装置において、
低周波クロックを発生する低周波発振器と、
前記ＬＥＤ表示を周期的にＯＮにするタイミングを格納するＯＮタイミング部と、
前記ＬＥＤ表示のＯＮを一定時間保持するＯＮ時間を格納するＯＮ時間部と、
前記ＣＰＵが省電力状態になったと判断した場合、前記低周波クロックの第１のカウントを開始し、前記低周波クロックの第１のカウントと前記タイミングが一致した場合に前記ＬＥＤ表示をＯＮにし、前記第１のカウントをリセット後、再開し、且つ前記第１のカウントのカウント開始後に前記携帯端末機への操作があり、省電力状態でなくなった場合には前記第１のカウントを停止する第１のカウンタと、
前記第１のカウンタが前記ＬＥＤ表示をＯＮにするタイミングで前記低周波クロックの第２のカウントを開始し、前記第２のカウントと前記点灯時間が一致した場合にＯＮになった前記ＬＥＤ表示をＯＦＦにし第２のカウントをリセットし、前記ＬＥＤ表示のＯＮの期間にも前記ＣＰＵの省電力状態を維持する第２のカウンタとを備えることを特徴とする携帯端末機の省電力状態表示制御装置。
【請求項７】
前記第１のカウンタでは、前記省電力状態になった後一定時間内にＬＣＤ表示からの表示フレームレートの信号入力が無い場合には前記低周波クロックをカウントする第１のカウントを開始し、且つ前記第１のカウントのカウント開始後に前記ＬＣＤ表示からの表示フレームレートの信号入力があった場合には前記第１のカウントを停止することを特徴とする、請求項１に記載の携帯端末機の省電力状態表示制御装置。
【発明の詳細な説明】
【０００１】
【産業上の利用分野】
本発明はＰＤＣ（Ｐｅｒｓｏｎａｌ  Ｄｉｇｉｔａｌ  Ｃｅｌｌｕｌａｒ）方式携帯電話機、ＰＨＳ（Ｐｅｒｓｏｎａｌ  Ｈａｎｄｙ−Ｐｈｏｎｅ  Ｓｙｓｔｅｍ）方式携帯電話機等を含む携帯端末機に関する。特に、本発明は、待ち受け状態における消費電力の低減を可能にする携帯端末機の省電力状態表示制御装置に関する。
【０００２】
【従来の技術】
上記携帯端末機では電源供給源に電池を使用していることは周知である。
携帯端末機の消費電流の低減は必要不可欠な要素である。その中でも携帯端末機の通話、パケット通信、ユーザー操作時以外の待ち受け時の消費電流は、携帯端末機の待ち受け時間にそのまま結びつくことから携帯端末機の性能を比べる上でも重要な要素であり、待ち受け時の消費電流低減が特に求められている。
【０００３】
携帯端末機では、小型化、軽量化に伴う個々の部品の小型化、使用部品点数の削減が必要視されており、電池においても例外ではなく、小型化、軽量化が要求されている。
この電池の小型化、軽量化は、電池容量の減少となることが多く、携帯端末機の使用時間を短くすることになる。
【０００４】
そのため、携帯端末機の小型化、軽量化を、さらに、促進する上でも、待ち受け時の消費電流低減が、以下のように、行われている。
図７は本発明の前提となる携帯端末機の概略構成を示すブロック図である。なお、全図を通して同一の構成要素には同一の番号、符号を付して説明を行う。
本図に示す携帯端末機は、ＰＤＣ方式携帯電話機、ＰＨＳ方式携帯電話機等を含み、通常ＴＤＭＡ（時分割多重接続）方式を採用する。
【０００５】
携帯端末機にはアンテナ５０１が設けられ、アンテナ５０１は基地局（図示しない）と通信を行う。
アンテナ５０１には無線部５０２が接続され、無線部５０２は、入力した送信データを変調し、規定の周波数の搬送波として増幅しアンテナ５０１に送信させ、アンテナ５０１からの受信信号のうち受信したい信号周波数を選択し周波数変換を行い増幅し復調して受信データを出力する。
【０００６】
無線部５０２には制御部５０７が接続され、制御部５０７は、後述するＣＰＵ（中央演算装置）５０８で構成され、音声のディジタル信号を送信データに処理し、無線部５０２に送信データを出力し、無線部５０２から入力した受信データを音声のディジタル信号に処理すると同時に、無線部５０２を含む携帯端末機全体の制御を行う。
【０００７】
より詳細には、制御部５０７では、制御チャンネルにて基地局との通信を制御し、待ち受け時には携帯端末機の所在を基地局に登録させ、基地局からの呼び出しに応じる。基地局からの呼び出しに対して、常時連続的に受信しているわけではなく、受信すべきスロットを間欠的に受信している。このように、携帯端末機では電池を電源としている消費電流の削減が行われる。
【０００８】
制御部５０７には低周波発振器５０３が接続され、低周波発振器５０３は携帯電話機の電源がＯＮの状態で低周波のクロックを、常時、発生し、制御部５０７の制御により、タイミング処理、時刻表示等に使用するため、制御部５０７に出力する。
さらに、制御部５０７では、受信すべきスロットの間欠受信時に、後述のＣＰＵ５０８のスタンバイ、スタンバイ解除を行い、低周波発振器５０３のクロックが用いられる。
【０００９】
さらに、制御部５０７にはＬＣＤ（液晶表示）表示部５０４が接続され、制御部５０７の制御により、ＬＣＤ表示部５０４は各種表示を行う。
近年、ＬＣＤ表示部５０４にはＴＦＴ（薄膜トランジスタ）カラーＬＣＤが用いられるようになった。このＴＦＴカラーＬＣＤは、従来の白黒ＬＣＤと比較し消費電流が多い。そのため、携帯端末機の電源ＯＮの待ち受け状態でありながらも、ＬＣＤ表示部５０４をＯＦＦにして表示から非表示にし、消費電流を低減させる状態としている（この状態を、以下、省電力状態と称す）。
【００１０】
さらに、制御部５０７には着信ＬＥＤ（発光ダイオード）部５０５が接続され、制御部５０７の制御により、着信ＬＥＤ表示部５０５は着信時の点灯／消灯を行う。
上記ＬＣＤ表示部５０４をＯＦＦにした場合、ユーザーは、携帯端末機が電源ＯＮ状態であるか又は電源ＯＦＦ状態であるか認識できなくなる。このため、ＬＣＤ表示部５０４をＯＦＦした状態の省電力状態において、ある一定間隔で着信ＬＥＤ表示部５０５を点灯させることで、ユーザーに電源ＯＮ状態であることを認識させている。
【００１１】
さらに、制御部５０７には操作部５０６が接続され、制御部５０７の監視により、操作部５０６はユーザーの操作を検出判断し操作に基づく処理を行う。
なお、携帯端末機の電源ＯＮの待ち受け状態でありながらも、操作部５０６においてユーザー操作がある一定時間内に無い場合には、ＬＣＤ表示部５０４がＯＦＦになる。
【００１２】
さらに、制御部５０７には音声処理部５０９が接続され、音声処理部５０９は制御部５０７から音声のディジタル信号を入力しアナログ信号に変換し、音声のアナログ信号をディジタル信号に変換して、音声のディジタル信号を制御部５０７に出力する。
音声処理部５０９にはレシーバ５１０が接続され、レシーバ５１０は音声処理部５０９から入力した音声のアナログ信号を音声に再生する。
【００１３】
さらに、音声処理部５０９にはマイクロフォン５１１が接続され、マイクロフォン５１１は入力した音声を電気信号に変換し、音声のアナログ信号を形成し、音声処理部５０９に出力する。
さらに、制御部５０７にはＣＰＵ（中央演算装置）５０８、タイマ部５１２等、他の制御回路が設けられ、ＣＰＵ５０８、タイマ部５１２は、以下のように、着信ＬＥＤ表示部５０４の制御を行う。
【００１４】
図８は図７における携帯端末機の一部を抜き出して、着信ＬＥＤ表示部５０４の点灯表示制御を説明する部分構成図である。
本図に示すように、低周波発振器５０３には制御部５０７のタイマ部５１２が接続され、タイマ部５１２は、低周波発振器５０３のクロックを用いて、一定周期の割り込み信号を発生する。
【００１５】
タイマ部５１２にはＣＰＵ５０８が接続され、ＣＰＵ５０８は携帯端末機の全体制御の一部として、ＬＣＤ表示部５０４、着信ＬＥＤ表示部５０５に対する表示制御を行う。
図９は図８のＣＰＵ５０８による着信ＬＥＤ表示部５０５の制御を説明するタイミングチャートを示す図である。
【００１６】
本図（ａ）に示すように、ＣＰＵ５０８は、ユーザーによる操作部５０６の操作がある一定時間内に無いことを検出すると、ＬＣＤ表示部５０４をＯＦＦにし非表示とする。
本図（ｂ）に示すように、ＣＰＵ５０８は、ユーザーによる操作部５０６の操作がある一定時間無いことを検出すると、スタンバイモードとなり、タイマ部５１２によって生成される一定周期の割り込みによりスタンバイモードを解除し、受信すべきスロットを間欠的に受信する。これにより、動作不要時には極力スタンバイとすることが可能になる。
【００１７】
本図（ｃ）に示すように、ＣＰＵ５０８は、ユーザーによる操作部５０６の操作がある一定時間無いことを検出すると、スタンバイモードとなり、タイマ部５１２によって生成される一定周期の割り込みによりスタンバイモードを解除し、割り込みをカウントし、着信ＬＥＤ表示部５０５を一定間隔で点灯させる。このようにして、ユーザーに対して電源ＯＮ状態を認識させることができる。
【００１８】
【発明が解決しょうとする課題】
しかしながら、上記携帯端末機ではＣＰＵ５０８の動作電流が携帯端末機内の他の回路と比較して多いこともあり、着信ＬＥＤ表示部５０５だけのためにＣＰＵ５０８を使用することは無駄な消費電流が多くなるという問題がある。
さらに、着信ＬＥＤ表示部５０５を一定周期でＣＰＵ５０８を動作させ、さらに、間欠受信のため一定周期でＣＰＵ５０８を動作させているが、ＣＰＵ５０８の共用時間の重なりが少なく、着信ＬＥＤ表示部５０５の点灯のために、ＣＰＵ５０８の動作に必要となる消費電流が多くなるという問題がある。
【００１９】
したがって、本発明は上記問題点に鑑みて、省電力状態の待ち受け時に、消費電流の増大を抑制するために、ＣＰＵ５０８の動作電流を削減し、ユーザーに対して電源ＯＮ状態を認識させるためにある一定間隔で着信ＬＥＤ表示部５０５の点灯を実現可能にする携帯端末機の省電力状態表示制御装置を提供する。
【００２０】
【課題を解決するための手段】
本発明は前記問題点を解決するために、待ち受け時にＬＣＤ表示を非表示にした後にＬＥＤ表示を一定間隔でＯＮにしＣＰＵを省電力状態にする携帯端末機の省電力状態表示制御装置において、低周波クロックを発生する低周波発振器と、前記ＣＰＵが省電力状態になったと判断した場合、前記低周波クロックの第１のカウントを開始し、前記低周波クロックの第１のカウントにより、前記ＬＥＤ表示を周期的にＯＮにするタイミングを制御するＯＮタイミング制御部と、前記ＯＮタイミング制御部が前記ＬＥＤ表示をＯＮにするタイミングで前記低周波クロックの第２のカウントを開始し、前記低周波クロックの第２のカウントにより、ＯＮになった前記ＬＥＤ表示を一定時間維持した後にＯＦＦにし前記ＬＥＤ表示のＯＮの期間にも前記ＣＰＵの省電力状態を維持するＯＮ時間制御部とを備えることを特徴とする携帯端末機の省電力状態表示制御装置を提供する。
【００２１】
この手段により、省電力状態ではＣＰＵを用いずＬＥＤ表示の点灯制御を行うＯＮタイミング制御部、ＯＮ時間制御部は、ＣＰＵの消費電流と比較して、消費電流が小さく、単純な回路で構成され、ＬＳＩ化を容易に行える。このようにして得られたＬＳＩは、携帯端末機の小型化への影響が極めて少なく、携帯端末機への搭載が可能である。
さらに、前記ＣＰＵは、省電力状態になった後一定時間内に前記携帯端末機の操作が無い場合に前記ＯＮタイミング制御部による前記第１のカウントを開始させ、前記第１のカウントの開始後に前記携帯端末機の操作があった場合に前記ＯＮタイミング制御部による前記第１のカウントを停止させる。
【００２２】
この手段により、待ち受け時にＬＥＤ表示を一定間隔でＯＮにする制御の開始時と終了時にだけＣＰＵの動作が関係するだけなので、消費電流を大幅に削減できる。
さらに、前記ＬＣＤ表示からの表示フレームレートの信号入力が一定時間内に無い場合に前記ＯＮタイミング制御部による前記第１のカウントを開始し、前記第１のカウントの開始後に前記ＬＣＤ表示からの表示フレームレートの信号入力があった場合に前記ＯＮタイミング制御部による前記第１のカウントを停止する。
【００２３】
この手段により、待ち受け時にＬＥＤ表示を一定間隔でＯＮにする制御にＣＰＵの動作が全く関係しないので、さらに、消費電流を大幅に削減できる。
好ましくは、前記ＬＥＤ表示として、着信時に点灯する着信ＬＥＤ表示を用いる。
【００２４】
この手段により、着信用のＬＥＤ表示が共用できるので、構成が簡単にできる。
好ましくは、前記低周波発振器として、間欠受信時に前記ＣＰＵをスタンバイ、スタンバイ解除するための低周波発振器を用いる。
この手段により、間欠受信用の低周波発振器を共用できるので、構成が簡単になる。
【００２５】
さらに、本発明は、待ち受け時にＬＣＤ表示を非表示にした後にＬＥＤ表示を一定間隔でＯＮにしＣＰＵを省電力状態にする携帯端末機の省電力状態表示制御装置において、低周波クロックを発生する低周波発振器と、前記ＬＥＤ表示を周期的にＯＮにするタイミングを格納するＯＮタイミング部と、前記ＬＥＤ表示のＯＮを一定時間保持するＯＮ時間を格納するＯＮ時間部と、前記ＣＰＵが省電力状態になったと判断した場合、前記低周波クロックの第１のカウントを開始し、前記低周波クロックの第１のカウントと前記タイミングが一致した場合に前記ＬＥＤ表示をＯＮにし、前記第１のカウントをリセット後、再開し、且つ前記第１のカウントのカウント開始後に前記携帯端末機への操作があり、省電力状態でなくなった場合には前記第１のカウントを停止する第１のカウンタと、前記第１のカウンタが前記ＬＥＤ表示をＯＮにするタイミングで前記低周波クロックの第２のカウントを開始し、前記第２のカウントと前記点灯時間が一致した場合にＯＮになった前記ＬＥＤ表示をＯＦＦにし第２のカウントをリセットし、前記ＬＥＤ表示のＯＮの期間にも前記ＣＰＵの省電力状態を維持する第２のカウンタとを備えることを特徴とする携帯端末機の省電力状態表示制御装置を提供する。
【００２６】
この手段により、上記発明と同様に、省電力状態ではＣＰＵを用いずＬＥＤ表示の点灯制御を行うＯＮタイミング制御、ＯＮ時間制御は、ＣＰＵの消費電流と比較して、消費電流が小さく、単純な方法で構成され、ＬＳＩ化を容易に行える。このようにして得られたＬＳＩは、携帯端末機の小型化への影響が極めて少なく、携帯端末機への搭載が可能である。
さらに、前記第１のカウンタでは、前記省電力状態になった後一定時間内にＬＣＤ表示からの表示フレームレートの信号入力が無い場合には前記低周波クロックをカウントする第１のカウントを開始し、且つ前記第１のカウントのカウント開始後に前記ＬＣＤ表示からの表示フレームレートの信号入力があった場合には前記第１のカウントを停止する。
この手段により、終了ＣＰＵの動作を介さずに、ＬＣＤ表示からの表示フレームレートの信号を用いて、第１のカウンタの開始、停止を行うので、さらに、消費電流を大幅に削減できる。
【００２７】
【発明の実施の形態】
以下、本発明の実施の形態について図面を参照して説明する。
図１は本発明に係る携帯端末機の概略構成を示すブロック図である。本図に示すように、図７と比較し、制御部５０７にはＯＮタイミング制御部１０５、ＯＮ時間制御部１０６が追加される。
【００２８】
ＯＮタイミング制御部１０５は着信ＬＥＤ表示部５０５の点灯開始タイミングを制御し、ＯＮ時間制御部１０６は着信ＬＥＤ表示部５０５の点灯時間を制御する。
すなわち、ＯＮタイミング制御部１０５、ＯＮ時間制御部１０６は、動作電流が大きなＣＰＵ５０８に代わり、受信すべきスロットを間欠的に受信するためにタイミング生成用の低周波発振器５０３のクロックを使用し、省電力状態において、ある一定間隔で、着信ＬＥＤ表示部５０５の制御を行う。
【００２９】
このため、ＯＮタイミング制御部１０５、ＯＮ時間制御部１０６は、ＣＰＵ５０８の消費電流と比較して、消費電流が小さく、単純な回路で構成され、ＬＳＩ化を容易に行える。このようにして得られたＬＳＩは、携帯端末機の小型化への影響が極めて少なく、携帯端末機への搭載が可能である。
図２は図１における携帯端末機の一部を抜き出した省電力状態表示制御装置であって、着信ＬＥＤ表示部５０５の点灯表示制御を説明する詳細な部分構成図である。
【００３０】
制御部５０７におけるＯＮタイミング制御部１０５、ＯＮ時間制御部１０６は低周波発振器５０３からクロック信号を入力し、さらに、ＣＰＵ５０８から省電力状態になるという信号を入力し、着信ＬＥＤ表示部５０５の点灯、消灯制御を行う。
さらに、ＯＮタイミング制御部１０５にはＯＮタイミング部１０８、カウンタＡ部１０９が設けられる。
【００３１】
ＯＮタイミング部１０８は、任意設定可能な着信ＬＥＤ表示部５０５の点灯開始タイミングを格納し、カウンタＡ部１０９は低周波発振器５０３のクロック出力をカウントする。
ＯＮタイミング部１０８の点灯開始タイミングとカウンタＡ部１０９のカウントを比較し一致した場合にはカウンタＡ部１０９はＯＮ時間制御部１０６に一致した旨を示すトリガを出力し、カウントをリセットし、次の点灯開始タイミングまでのカウントを再開する。
【００３２】
さらに、ＯＮ時間制御部１０６にはＯＮ時間部１１０、カウンタＢ部１１１が設けられる。
ＯＮ時間部１１０は、任意設定可能な着信ＬＥＤ表示部５０５について一度で点灯する点灯時間の値を格納し、カウンタＢ部１１１は低周波発振器５０３のクロック出力をカウントする。
【００３３】
ＯＮタイミング制御部１０５からのトリガにより着信ＬＥＤ表示部５０５を点灯させ、カウンタＢ部１１１のカウントを開始し、ＯＮ時間部１１０の点灯時間とカウンタＢ部１１１のカウントを比較し一致した場合、着信ＬＥＤ表示部５０５を消灯させ、カウンタＢ部１１１のカウントをリセットし、ＯＮタイミング制御部１０５のカウンタＡ部１０９から次のトリガ入力を待つ。
【００３４】
図３は図２の構成の動作を補足するタイミングチャートを示す図である。本図（ａ）に示すように、ＯＮタイミング制御部１０５のＯＮタイミング部１０８に格納される点灯開始タイミングの値がＴ２０２である。
さらに、ＯＮ時間制御部１０６のＯＮ時間部１１０に格納される点灯時間の値がＴ２０４である。
【００３５】
省電力モードになった後一定時間内に携帯端末機の操作が無く経過したタイミングがＴ２０１であり、Ｔ２０１にカウンタＡ部１０９のカウントが開始する。カウンタＡ部１０９のカウントと点灯開始タイミングＴ２０２とが一致するタイミングがＴ２０３である。
Ｔ２０３でカウンタＡ部１０９はカウントをリセットし、リセット後、カウントを再開する。さらに、カウントと点灯開始タイミングＴ２０２とが一致するタイミングがＴ２０６である。以降同様に繰り返す。
【００３６】
本図（ｂ）に示すように、Ｔ２０３でのＯＮタイミング制御部１０５のカウンタＡ部１０９のトリガにより、カウンタＢ部１１１のカウントが開始する。
カウンタＢ部１１１のカウントとＯＮ時間部１１０の点灯時間Ｔ２０４とが一致するタイミングがＴ２０５である。
Ｔ２０５でカウンタＢ部１１１のカウントがリセットされる。
【００３７】
リセット後、Ｔ２０６でカウンタＢ部１１１のカウントが再開し、カウンタＢ部１１１のカウントとＯＮ時間部１１０の点灯時間Ｔ２０４とが一致するタイミングがＴ２０７である。
Ｔ２０５でカウンタＢ部１１１のカウントがリセットされる。以降同様に繰り返す。
【００３８】
本図（ｃ）に示すように、ＯＮ時間制御部１０６から着信ＬＥＤ表示部５０５へはＴ２０３で点灯開始し、Ｔ２０４だけ点灯を維持しＴ２０５で消灯し、同様に、Ｔ２０６で点灯開始し、Ｔ２０４だけ点灯を維持しＴ２０７で消灯する信号を出力する。以降同様である。
Ｔ２０１からＴ２０３までの間、Ｔ２０５からＴ２０６までの間は、着信ＬＥＤ表示部５０５の消灯を維持する。以降同様である。
【００３９】
図４は図２における構成の一連の動作を説明するフローチャートである。
ステップＳ３０１において、制御部５０７のＯＮタイミング制御部１０５内のＯＮタイミング部１０８に着信ＬＥＤ表示部５０５の点灯周期である点灯開始タイミング値（Ｔ２０２）を設定する。
ステップＳ３０２において、ＯＮ時間制御部１０６内のＯＮ時間部１１０に着信ＬＥＤ表示部５０５の点灯時間である値（Ｔ２０４）を設定する。
【００４０】
ステップＳ３０３において、操作部５０６を監視し、ある一定時間、ユーザー操作が無いかを確認し省電力モードかの判断を行い、省電力モードと判断した場合、ＬＣＤ表示部５０４の表示をＯＦＦにし非表示にする。
ステップＳ３０４において、省電力モードと判断した場合、ＣＰＵ５０８は、ＯＮタイミング制御部１０５に着信ＬＥＤ表示部５０５の制御を行わせる。
【００４１】
ステップＳ３０５において、ＣＰＵ５０８は、ＯＮタイミング制御部１０５にカウンタＡ部１０９のカウントを開始させる。
ステップＳ３０６において、ＯＮタイミング制御部１０５は、カウンタＡ部１０９のカウント値がＯＮタイミング部１０８の点灯開始タイミング値（Ｔ２０２）と一致するかを判断する。
【００４２】
一致する場合には、カウンタＡ部１０９のカウントをリセットし、カウントを再開し、ＯＮ時間制御部１０６にトリガを出力する。
ステップＳ３０７において、ＯＮ時間制御部１０６はカウンタＢ部１１１のカウントを開始する。
ステップＳ３０８において、着信ＬＥＤ表示部５０５を点灯制御する。
【００４３】
ステップＳ３０９において、ＯＮ時間制御部１０６は、カウンタＢ部１１１のカウント値がＯＮ時間部１１０の点灯時間値（Ｔ２０４）と一致するかを判断する。
一致する場合には、カウンタＢ部１１１のカウントをリセットした後に停止する。
【００４４】
ステップＳ３１０において、着信ＬＥＤ表示部５０５を消灯制御する。以上の手順を繰り返し行う。ある一定間隔で着信ＬＥＤ表示部５０５を点灯させることができ、ユーザーに電源ＯＮ状態であることを認識することができる。
ステップＳ３１１において、制御部５０７では、操作部５０６からの入力を監視する。操作部５０６からの入力が無い場合は、ステップＳ３０６に戻り、省電力モードを継続する。操作部５０６から入力があると、ＬＣＤ表示部５０４をＯＮにし表示させ、省電力モードを抜ける。
【００４５】
ステップＳ３１２において、省電力モードを抜けた場合、ＣＰＵ５０８は、ＯＮタイミング制御部１０５に対し着信ＬＥＤ表示部５０５をＯＦＦにし停止させる。
ステップＳ３１３において、ＣＰＵ５０８は、ＯＮタイミング制御部１０５にカウンタＡ部１０９のカウントを停止させ、処理を終了する。
【００４６】
ステップＳ３１４において、省電力モード監視において、省電力モードであるか否かを監視する。
ステップＳ３１５において、省電力モードでない場合には、ＣＰＵ５０８は、着信ＬＥＤ表示部５０５を消灯にし、ステップＳ３１２に進む。
したがって、本実施例によれば、省電力状態において、ＣＰＵ５０８を用いずに着信ＬＥＤ表示部５０５の点灯制御をすることで、着信ＬＥＤ表示部５０５以外でのＣＰＵ５０８の消費電流が多くなることを防ぐことが可能になる。
【００４７】
すなわち、従来のようにタイマ部５１２により必要以上に割り込みを発生し、ＣＰＵ５０８に対して不要に動作させることを回避することが可能になる。
図５は、図２の構成の変形例を示す図である。本図に示すように、図２と比較して、構成はほぼ同一であり、ＬＣＤ表示部５０４からＯＮタイミング制御部１０５に表示フレームレート信号を出力している点が異なる。これにより、さらに、消費電流削減が可能になる。
【００４８】
ＬＣＤ表示部５０４では、表示１ライン単位である一定周期の表示の更新が行われており、この一定周期が表示フレームレートである。
ＬＣＤ表示部５０４は、制御部５０７に、表示の最上段ライン更新時のタイミングでパルス信号を出力する。
さらに、ＬＣＤ表示部５０４は、表示ＯＮ時に制御部５０７に表示フレームレート信号を定期的に出力するが、表示ＯＦＦ時に表示の更新が不要となるため、消費電流の低減もあり、この表示フレームレート信号の出力を停止する。
【００４９】
制御部５０７は、ＬＣＤ表示部５０４からの表示フレームレート信号を基準にＬＣＤ表示部５０４に表示データの書き込みを行う。これは、ＬＣＤ表示部５０４の表示フレームレートと非同期に表示データの書き込みを行うと、表示更新時に１画面が２以上に分割されるように見えることを回避するためである。このため、表示ＯＦＦ時に、表示フレームレート信号は不要となるのでＬＣＤ表示部５０４から出力されない。
【００５０】
この表示フレームレート信号を用いて、以下のように、省電力状態の監視を行い、着信ＬＥＤ表示部５０５の点灯、消灯制御を行う。
図６は図５の構成の動作を補足するタイミングチャートを示す図である。
本図（ａ）に示すように、ＬＣＤ表示部５０４から出力される表示フレームレート信号の出力は、Ｔ７０１で停止するとする。
【００５１】
ＯＮタイミング制御部１０５は、Ｔ７０１からある一定時間Ｔ７０２、表示フレームレート信号の入力が無いと、省電力状態になったと判断する。
ＯＮタイミング制御部１０５のＯＮタイミング部１０８に格納される点灯開始タイミングの値がＴ７０４である。
ＯＮ時間制御部１０６のＯＮ時間部１１０に格納される点灯時間の値がＴ７０６である。
【００５２】
省電力モードになったタイミングがＴ７０３であり、カウンタＡ部１０９のカウントが開始する。
カウンタＡ部１０９のカウントと点灯開始タイミングＴ７０４とが一致するタイミングがＴ７０５である。
Ｔ７０５でカウンタＡ部１０９のカウントがリセットされ、リセット後、カウンタＡ部１０９のカウントが再開する。以降同様に繰り返す。
【００５３】
本図（ｂ）に示すように、Ｔ７０５でＯＮタイミング制御部１０５はトリガを発生する。
本図（ｃ）に示すように、ＯＮタイミング制御部１０５は上記トリガにより、カウンタＢ部１１１のカウントを開始させる。
カウンタＢ部１１１のカウントとＯＮ時間部１１０の点灯時間Ｔ７０６とが一致するタイミングがＴ７０７である。
【００５４】
Ｔ７０７でカウンタＢ部１１１のカウントがリセットされる。以降同様に繰り返す。
本図（ｄ）に示すように、ＯＮ時間制御部１０６から着信ＬＥＤ表示部５０５へはＴ７０５で点灯開始し、Ｔ７０６だけ点灯を維持しＴ７０７で消灯する信号を出力する。以降同様である。
【００５５】
なお、Ｔ７０５前、Ｔ７０７後の着信ＬＥＤ表示部５０５の消灯を維持する。以降同様である。
したがって、本実施例によれば、ＬＣＤ表示部５０４から出力される表示フレームレート信号を監視し、ある一定時間入力が無い場合は、制御部５０７がＬＣＤ表示部５０４をＯＦＦにし非表示にしている場合であり、省電力状態であると判断できる。入力がある場合は、制御部５０７がＬＣＤ表示部５０４をＯＮにし表示している場合であり、省電力状態でないと判断できる。
【００５６】
また、ＯＮタイミング制御部１０５、ＯＮ時間制御部１０６により着信ＬＥＤ表示部５０５のＯＮ／ＯＦＦが行われ、ＯＮタイミング制御部１０５によりカウンタＡ部１０９のカウント開始／停止の制御が行われる。
図３の実施例では、着信ＬＥＤ表示部５０５のＯＮ（図４のステップＳ３０４）、カウンタＡ部１０９のカウント開始（図４のステップＳ３０５）、着信ＬＥＤ表示部５０５のＯＦＦ（図４のステップＳ３１２）、カウンタＡ部１０９のカウント停止（図４のステップＳ３１３）の制御は、ＣＰＵ５０８により行われる。
【００５７】
図３の実施例においてＣＰＵ５０８により行われる上記の制御について、本実施例では、ＣＰＵ５０８を用いずに、ＯＮタイミング制御部１０５がＬＣＤ表示部５０４から出力される表示フレームレート信号を監視して行う。
これにより、ＣＰＵ５０８の動作をさらに軽減でき、ＣＰＵ５０８の動作時間を削減でき、消費電流低減の効果を得ることが可能になる。
【００５８】
なお、以上の説明では、着信用の着信ＬＥＤ表示部５０５について説明したが、これに限定されず、着信用以外のＬＥＤ表示部を用いてもよい。これにより構成が簡単になる。
【００５９】
【発明の効果】
以上説明したように、本発明によれば、低周波クロックを発生し、前記ＬＥＤ表示を周期的にＯＮにするタイミングを格納し、前記ＬＥＤ表示のＯＮを一定時間保持するＯＮ時間を格納し、前記省電力状態になった後一定時間内に前記携帯端末機への操作が無い場合には前記低周波クロックをカウントする第１のカウントを開始し前記第１のカウントと前記タイミングが一致した場合に前記ＬＥＤ表示をＯＮにし、前記第１のカウントをリセット後、再開し、且つ前記第１のカウントのカウント開始後に前記携帯端末機への操作があった場合には前記第１のカウントを停止し、前記低周波クロックをカウントする第２のカウントを、前記第２のカウントのリセット時に開始し前記第２のカウントと前記点灯時間が一致した場合にＯＮになった前記ＬＥＤ表示をＯＦＦにし、第２のカウントをリセットするようにし、ＣＰＵの動作を不要にしたので、消費電流が小さく、単純な方法で構成され、ＬＳＩ化を容易に行える。このようにして得られたＬＳＩは、携帯端末機の小型化への影響が極めて少なく、携帯端末機への搭載が可能である。
【図面の簡単な説明】
【図１】本発明に係る携帯端末機の概略構成を示すブロック図である。
【図２】図１における携帯端末機の一部を抜き出した省電力状態表示制御装置であって、着信ＬＥＤ表示部５０５の点灯表示制御を説明する詳細な部分構成図である。
【図３】図２の構成の動作を補足するタイミングチャートを示す図である。
【図４】図２における構成の一連の動作を説明するフローチャートである。
【図５】図２の構成の変形例を示す図である。
【図６】図５の構成の動作を補足するタイミングチャートを示す図である。
【図７】本発明の前提となる携帯端末機の概略構成を示すブロック図である。
【図８】図７における携帯端末機の一部を抜き出して、着信ＬＥＤ表示部５０４の点灯表示制御を説明する部分構成図である。
【図９】図８のＣＰＵ５０８による着信ＬＥＤ表示部５０５の制御を説明するタイミングチャートを示す図である。
【符号の説明】
１０５…ＯＮタイミング制御部
１０６…ＯＮ時間制御部
１０８…ＯＮタイミング部
１０９…カウンタＡ部
１１０…ＯＮ時間部
１１１…カウンタＢ部
５０１…アンテナ
５０２…無線部
５０３…低周波発振器
５０４…ＬＣＤ表示部
５０５…着信ＬＥＤ表示部
５０６…操作部
５０７…制御部
５０８…ＣＰＵ
５０９…音声処理部
５１０…レシーバ
５１１…マイクロフォン
５１２…タイマ部
【図１】
0003641453.tif 000002
【図２】
0003641453.tif 000003
【図３】
0003641453.tif 000004
【図４】
0003641453.tif 000005
【図５】
0003641453.tif 000006
【図６】
0003641453.tif 000007
【図７】
0003641453.tif 000008
【図８】
0003641453.tif 000009
【図９】
0003641453.tif 000010